(57)【要約】【課題】支持部材に確実に支持させることのできるブラケット、および棚受装置を提供すること。【解決手段】ブラケット１は、金属板の折り曲げにより形成され、ブラケット本体１０と、棚柱２に係止された状態にブラケット本体１０をロックするロック部材４０と、を備えている。ブラケット本体１０は、間隔をおいて対向する一対の側板１１，１２と、側板１１，１２を連結する連結部１５と、側板１１，１２の後端に形成され、棚柱２に係止される係止部１３，１４と、を備えている。ロック部材４０は、側板１１，１２の間に挿入されることにより係止部１３，１４の間隔が狭まるのを阻止する。【選択図】図３
2014140579.tif 000002
【特許請求の範囲】
【請求項１】
金属板の折り曲げにより形成されるブラケット本体と、
前記ブラケット本体を支持する支持部材に係止された状態に前記ブラケット本体をロックするロック部材と、を備え、
前記ブラケット本体は、
間隔をおいて対向する一対の側板と、
前記一対の側板を連結する連結部と、
前記一対の側板の後端に形成され、前記支持部材に係止される係止部と、を備え、
前記係止部は、前記支持部材において上下方向に間隔をおいて形成される複数の支持孔のうち選択される複数個の各々に対して個別に形成されるとともに、対応する前記支持孔にそれぞれ挿入され、
前記ロック部材は、前記一対の側板の間に挿入されることにより前記係止部の間隔が狭まるのを阻止する、
ことを特徴とするブラケット。
【請求項２】
前記支持部材は、上下方向に延出する正面壁と、その幅方向両側から前記ブラケット本体とは反対側に向けて立ち上がる一対の側壁とを備え、
前記係止部が挿入される前記支持孔は、前記正面壁に形成されている、
請求項１に記載のブラケット。
【請求項３】
前記ロック部材は、
前記一対の側板の内側で前記側板に回動可能に支持される軸支部と、
前記軸支部に連動して前記側板の間の少なくとも後端側に挿入されるロック本体と、を備える、
請求項１または２に記載のブラケット。
【請求項４】
前記軸支部は、
前記一対の側板の間で互いに間隔をおいて対向する一対の弾性アームとされている、
請求項３に記載のブラケット。
【請求項５】
前記ロック部材は、
前記一対の側板の間隔よりも幅が大きい拡幅部を備える、
請求項１から４のいずれか一項に記載のブラケット。
【請求項６】
前記拡幅部は、棚板を支持可能な棚板支持部である、
請求項５に記載のブラケット。
【請求項７】
前記連結部は、前記一対の側板の上端または下端で折り曲げられて前記一対の側板を連結し、
前記一対の側板の前記連結部とは反対側は、自由端とされ、
前記連結部には、前記一対の側板の後端から前端側に向けて、前記一対の側板の間隔に対応する幅の切欠が形成され、
前記ロック部材は、前記切欠を介して前記一対の側板の間に挿入される、
請求項１から６のいずれか一項に記載のブラケット。
【請求項８】
請求項１から７のいずれか一項に記載のブラケットと、
前記ブラケット本体を支持する支持部材と、を備える、
ことを特徴とする棚受装置。
【請求項９】
前記支持部材は、上下方向に延出する正面壁と、その幅方向両側から前記ブラケット本体とは反対側に向けて立ち上がる一対の側壁とを備え、
前記支持孔は、前記正面壁に形成されている、
請求項８に記載の棚受装置。
【発明の詳細な説明】
【技術分野】
【０００１】
本発明は、棚受等として用いられる片持ち状のブラケット、および棚受装置に関する。
【背景技術】
【０００２】
壁面やキャビネットの内面に棚柱、パネル等の支持部材を設け、その支持部材に取り付けて使用される棚受が知られている。
その棚受の本体は、金属板の折り曲げにより形成されている。棚受本体の間隔をおいて対向する一対の側板には、支持部材に係止される係止部が設けられている。棚受を支持部材に取り付けるとき、棚受本体の弾性により一対の側板を両側から圧縮し、係止部の間隔を狭める。その係止部を支持部材の凹部に挿入し、その後復元させて支持部材に係止する。
そのような棚受では、衝撃が加わったときに支持部材から外れないように、係止部の間隔が狭まるのを阻止するロック部材が側板の間に挿入されている（例えば、特許文献１）。
本明細書では、棚受の支持部材に係止される側を「後」、支持部材から片持ち状に突出する先端側を「前」と定義する。
また、鉛直方向上側を「上」、鉛直方向下側を「下」と定義する。
【０００３】
特許文献１には、左右の側板と底板とにより断面Ｕ字状に形成された棚受式物品保持具が記載されている。この棚受式物品保持具の側板の後端上部には左右一対のフック状係止部が設けられている。これらのフック状係止部を支持パネルに上下方向に沿って形成された蟻溝内に挿入し、一対の側板の間に上方から巾規制具を嵌合すると、側板の間隔が狭まるのが阻止されるとともに、蟻溝を区画する前面部の裏面側に係止部が圧接される。
【先行技術文献】
【特許文献】
【０００４】
【特許文献１】特開昭６０−１９８１０５号公報
【発明の概要】
【発明が解決しようとする課題】
【０００５】
特許文献１の棚受式物品保持具では、蟻溝の内側で係止部が支持パネルに圧接されるとは言え、重量の大きい物を棚板に載せると、蟻溝に沿って係止部がずり落ちるおそれがある。したがって、支持パネルの所定高さに棚受式物品保持具を確実には支持することができない。
【０００６】
以上のような課題に基づいて、本発明は、支持部材に確実に支持させることのできるブラケット、およびそのブラケットを備える棚受装置を提供することを目的とする。
【課題を解決するための手段】
【０００７】
本発明のブラケットは、金属板の折り曲げにより形成されるブラケット本体と、ブラケット本体を支持する支持部材に係止された状態にブラケット本体をロックするロック部材と、を備えている。
ブラケット本体は、間隔をおいて対向する一対の側板と、一対の側板を連結する連結部と、一対の側板の後端に形成され、支持部材に係止される係止部と、を備えている。
そして、本発明は、係止部が、支持部材において上下方向に間隔をおいて形成される複数の支持孔のうち選択される複数個の各々に対して個別に形成されるとともに、対応する支持孔に挿入され、ロック部材が、一対の側板の間に挿入されることにより係止部の間隔が狭まるのを阻止することを特徴とする。
【０００８】
本発明によれば、上下方向の複数箇所でブラケット本体が支持部材に係止されることとなるので、１箇所のみで係止されるのと比べて支持強度が高い。
しかも、係止部が支持孔に挿入されるので、係止部が上下方向にずり落ちることなく、支持部材の所定高さにブラケットを確実に係止させることができる。
【０００９】
本発明のブラケットでは、支持部材が、上下方向に延出する正面壁と、その幅方向両側からブラケット本体とは反対側に向けて立ち上がる一対の側壁とを備え、係止部が挿入される支持孔が正面壁に形成されていることが好ましい。
本発明では、支持部材の正面壁の表側から支持孔に係止部を挿入すると、支持孔の裏側に係止部が突出するとともに支持孔の端縁に係止される。一対の側板の各々に形成された係止部は、同じ支持孔に挿入されるとともに、その支持孔の幅方向両側の端縁で係止される。
本発明によれば、側板の各々に形成された係止部を同じ支持孔で一括して係止させることができるため、支持部材の構成が簡略となり、製造コストを抑えられる。
【００１０】
本発明のブラケットでは、ロック部材が、一対の側板の内側で側板に回動可能に支持される軸支部と、軸支部に連動して側板の間の少なくとも後端側に挿入されるロック本体と、を備えることが好ましい。
このようにロック本体が側板の間の少なくとも後端側に挿入される位置にロック部材が軸支されていると、側板とは分離したロック部材を側板の後端側に対して位置決めしてから側板の間に押し込むのと比べて、ロック操作を容易に行える。
また、側板に軸支されることでロック部材が側板に一体化されていると、ブラケットを単一の部材として取り扱えるので、ブラケットの取扱性を向上させることができる。
【００１１】
本発明における軸支部は、一対の側板の間で互いに間隔をおいて対向する一対の弾性アームとされていることが好ましい。
そうすると、一対の側板を互いに近接する向きに弾性変形させるのに追従して、一対の弾性アームも弾性変形する。そのため、ロック部材により妨げられることなく、側板の軸支部周辺までも容易に弾性変形させることができる。
【００１２】
本発明のブラケットでは、ロック部材が、一対の側板の間隔よりも幅が大きい拡幅部を備えていることが好ましい。
ロック部材が切欠から側板の間に挿入されると、拡幅部が側板の端面に突き当てられるので、ロック部材を位置決めすることができる。
その拡幅部は、棚板を支持可能な棚板支持部とすることができる。
【００１３】
本発明のブラケットでは、連結部が、一対の側板の上端または下端で折り曲げられて一対の側板を連結し、一対の側板の連結部とは反対側は、自由端とされ、連結部には、一対の側板の後端から前端側に向けて、一対の側板の間隔に対応する幅の切欠が形成され、ロック部材は、切欠を介して一対の側板の間に挿入されることが好ましい。
本発明では、一対の側板を連結する連結部の後端側に切欠が形成されている。この切欠は、ロック部材を一対の側板の間に挿入するのに用いられるとともに、一対の側板が連結部により拘束されるのを側板後端側で解除する。
したがって、一対の側板の後端は、連結部側からそれとは反対側の自由端まで、上下方向の全体に亘り、互いに近接する向きに容易に弾性変形させることができる。そのため、一対の側板の係止部の間隔を狭めて支持部材に係止させる作業が容易となる。
上述のように、側板の後端を上下方向の全体に亘り容易に弾性変形させることができるので、上下方向の位置が異なる複数の係止部のいずれをも、支持部材に容易に係止させることができる。
【００１４】
本発明の棚受装置は、上述のブラケットと、ブラケット本体を支持する支持部材とを備えることを特徴とする。
それにより、上述と同様の作用および効果を享受することができる。
【００１５】
本発明の棚受装置では、支持部材が、上下方向に延出する正面壁と、その幅方向両側からブラケット本体とは反対側に向けて立ち上がる一対の側壁とを備え、正面壁に支持孔が形成されていることが好ましい。
本発明では、支持部材が正面壁と一対の側壁とを備えて断面略コ字状とされている。その支持部材の正面壁の表側から支持孔に係止部を挿入すると、支持孔の裏側に係止部が突出するとともに支持孔の端縁に係止される。一対の側板の各々に形成された係止部は、同じ支持孔に挿入されるとともに、その支持孔の幅方向両側の端縁で係止される。
本発明によれば、側板の各々に形成された係止部を同じ支持孔で一括して係止させることができるため、支持部材の構成が簡略となり、製造コストを抑えられる。
【発明の効果】
【００１６】
本発明によれば、支持部材に確実に支持させることのできるブラケットおよび棚受装置を提供することができる。
【図面の簡単な説明】
【００１７】
【図１】本発明の実施形態のブラケットの使用状態を示す斜視図である。
【図２】係止部がロック解除された状態のブラケットの斜視図である。
【図３】係止部がロックされた状態のブラケットの斜視図である。
【図４】図３のＩＶ−ＩＶ線断面図である。
【図５】ロック部材単体の斜視図である。
【図６】ブラケットを棚柱に取り付ける手順を示す図である。（ａ）および（ｂ）は、図２のＶＩａｂ―ＶＩａｂ線に対応する。
【図７】ブラケットを棚柱に取り付ける手順を示す図である。図３のＶＩＩ―ＶＩＩ線に対応する。
【図８】別の実施形態に係るブラケットを示す斜視図である。
【図９】ロック部材の変形例を示す図である。
【発明を実施するための形態】
【００１８】
以下、添付図面に示す実施の形態に基づいてこの発明を詳細に説明する。
【００１９】
本実施形態のブラケット１は、図１に示すように、支持部材としての棚柱２に取り付けられ、棚板Ｂを受ける棚受として用いられる。ブラケット１および棚柱２により、棚受装置が構成される。
棚柱２は、壁面Ｗに設置されて鉛直方向に延びている。この棚柱２は、壁面Ｗに沿った正面壁２１と、正面壁２１の幅方向両端から裏面側に立ち上がる側壁２２とを有しており、横断面がコ字状に形成されている。正面壁２１には、複数の矩形状の支持孔２１０が鉛直方向（上下方向）に等間隔に形成されている。それらのうち、棚板Ｂを設置したい高さに応じて任意に選択される支持孔２１０の内側で、ブラケット１の後端部が棚柱２に係止されている。
棚板Ｂは、矩形状とされ、その長手方向の少なくとも両端部に対応する位置に設置される棚柱２およびブラケット１によって水平に支持される。この棚板Ｂには、例えば網状の板を用いることもできる。
【００２０】
以下、ブラケット１の構成について説明する。
ブラケット１は、図２に示すように、ブラケット本体１０と、ブラケット本体１０の前端に設けられるフロントパーツ３０と、ブラケット本体１０の後端側に、ブラケット本体１０に対して回動可能に設けられるロック部材４０とを備えている。
ブラケット本体１０は、間隔をおいて対向する一対の側板１１，１２と、側板１１，１２の後端に形成される係止部１３，１４と、側板１１，１２の各々の上端を連結する連結部１５とを備えている。これらの側板１１，１２、係止部１３，１４、および連結部１５は、１枚の金属板を折り曲げることによって一体に形成されている。
【００２１】
側板１１，１２は、直線状の上端稜線１８と、上端稜線１８と直角をなす後端縁１９と、後端縁１９の下端から上端稜線１８の前端までをなだらかに結ぶ湾曲縁２０とによって形状が定められている。
側板１１，１２の前端Ｆは、折り曲げられて突き合わせられることにより、Ｕ字状に形成されている（図６）。
側板１１，１２には、厚み方向に貫通する軸孔１０Ａが形成されている。軸孔１０Ａは、側板１１，１２の後端から前方に向けて所定距離だけ離間している。具体的に、軸孔１０Ａは、図３に示すように、連結部１５の後端よりも前端側に位置している。また、軸孔１０Ａは、側板１１，１２の上端から下方に向けて所定距離だけ離間している。
側板１１，１２の下端側は、図１に示すように前端から後端まで開放されている。そのため、連結部１５により拘束される側板１１，１２の上端側に対して、側板１１，１２の下端側は自由端とされている。
【００２２】
側板１１の後端には、係止部１３が形成されている。係止部１３は、側板１１の後端縁１９よりも後方に突出する金属片であり、後端縁１９に連続する基端を棚柱２の正面壁２１の板厚分あけて、外側に折り返されている。側板１２にも、同様の係止部１４が形成されている。これら一対の係止部１３，１４は、棚柱２の同じ支持孔２１０に挿入される。
側板１１，１２に形成される係止部１３，１４の数は、ブラケット１に求められる支持強度、および支持強度にも関連する側板１１，１２の後端の高さに応じて任意に決められるが、本実施形態の係止部１３，１４は、側板１１，１２の上端近傍と、それよりも下方の２箇所の合計３箇所に形成されている。上端近傍の係止部１３，１４が挿入される支持孔２１０を１番目とすると、それよりも下方の係止部１３，１４は順に、２番目、４番目の支持孔２１０に挿入される。ここで、３番目の支持孔２１０に対応する係止部１３，１４を形成してもよいが、強度面で問題ないので、ここでは形成を省略している。
【００２３】
連結部１５は、側板１１，１２の上端で金属板を折り曲げることで形成されており、その幅方向両側で側板１１，１２に連続している。この連結部１５は、側板１１，１２の間の前端側と後端側を除く位置に形成されている。
したがって、連結部１５には、側板１１，１２の後端から前端側に向けて第１切欠１７が形成されている。第１切欠１７は、側板１１，１２の後端が連結部１５により拘束されるのを解除する。
また、第１切欠１７は、側板１１，１２の間隔に対応する幅で矩形状に形成されており、この第１切欠１７を介してロック本体４３が側板１１，１２の間に挿入される。
一方、連結部１５の側板１１，１２の前端側にも、矩形状の第２切欠１６が側板１１，１２の間隔に対応する幅で形成されている。
【００２４】
樹脂製のフロントパーツ３０には、連結部１５よりも少し高い位置に、棚板Ｂを支持する支持面３１が形成されている。支持面３１の前端からは、棚板Ｂの脱落を防止する突起３２が立ち上がっている。
フロントパーツ３０の裏側（下側）には、図６に示すように、前後方向に平行に延びる一対の縦溝３３，３３が形成されている。縦溝３３，３３は、前後方向の異なる位置で横溝３４〜３６（図４も参照）により連結されていて、それらの横溝の１つと、縦溝３３，３３とに、第２切欠１６から露出した側板１１，１２の前端Ｆが挿入される。挿入される横溝３４〜３６に応じてフロントパーツ３０の前端の位置が変わるので、ブラケット１の前後の奥行を棚板Ｂのサイズに応じて調整できる。
【００２５】
次に、ロック部材４０の構成について説明する。
ロック部材４０は、図２に示すロック解除状態から時計回り（矢印Ｒ）に回動されると、図３に示すように、第１切欠１７を介して側板１１，１２の間に挿入される。
このロック部材４０は、樹脂射出成形品とされ、図５に示すように、軸支部である一対のアーム４１，４１と、アーム４１，４１の回動に連動するロック本体４３と、棚板Ｂを支持する棚板支持部４２とを一体に備えている。
【００２６】
一対のアーム４１，４１は、所定の間隔をおいて対向し、弾性を有している。アーム４１，４１の一方の外面から他方の外面までの距離は、側板１１，１２の間隔と同等に設定されていて、図４に示すように、側板１１，１２の間にアーム４１，４１全体が収容される。
一対のアーム４１，４１の各々の外面には、アーム４１，４１を横断する方向に沿って軸部４０Ａが突設されている。側板１１，１２の間に一対のアーム４１，４１を互いに近接する向きに弾性変形させて挿入することにより、軸部４０Ａが軸孔１０Ａに側板１１，１２の内側から挿入される。この軸部４０Ａを回動中心として、ロック部材４０が側板１１，１２に回動可能に支持されている。
【００２７】
なお、側板１１，１２に軸孔１０Ａを形成する代わりに、側板１１，１２の内面から窪み、外面には非貫通の凹部を形成し、その凹部に軸部４０Ａを嵌合させることもできる。
また、アーム４１，４１に軸孔を形成し、その軸孔に、側板１１，１２の内面に突設した軸部を嵌合させることもできる。
【００２８】
ロック本体４３は、図３に示すロック状態のときにアーム４１，４１よりも後方に延在する略矩形の板状に形成されている。このロック本体４３は、図２に示すロック解除状態では、第１切欠１７を介して側板１１，１２の間から突出している。
ロック本体４３は、軸部４０Ａに近い前方領域４３Ａと、前方領域４３Ａに隣接する後方領域４３Ｂとに区分されている。
前方領域４３Ａは、後方領域４３Ｂよりも薄肉とされている。
後方領域４３Ｂの厚みは、側板１１，１２の間隔と同等とされているので、後方領域４３Ｂが側板１１，１２の間に挿入されることで、係止部１３，１４の間隔が狭まるのが阻止される。
【００２９】
棚板支持部４２は、ロックするときの回動方向（ロック回動方向Ｒ）におけるロック本体４３の後端に、側板１１，１２の間隔よりも幅が大きい板状に形成されている。図２に示すロック解除状態では、連結部１５に棚板支持部４２の軸部４０Ａ側の端部４２１が突き当てられ、図３に示すロック状態では、第１切欠１７から露出した側板１１，１２の上端面に棚板支持部４２の裏側の面が突き当てられる。それにより、ロック部材４０が回動方向に位置決めされる。
棚板支持部４２の表面は、フロントパーツ３０の支持面３１と共に、棚板Ｂを支持する。また、棚板支持部４２は、ロック部材４０を回動するときに把持される操作部としても用いられる。
【００３０】
軸部４０Ａから、ロック本体４３の後端面４５までの距離は、側板１１，１２の軸孔１０Ａから後端縁１９までの距離よりも少し大きく設定されている。したがって、図７に示すように、係止部１３，１４が棚柱２の支持孔２１０の端縁に係止された状態でロック本体４３が側板１１，１２と棚柱２の正面壁２１との間の空間に挿入されると、ロック本体４３が後端縁１９から突出して正面壁２１を押圧し、それによって係止部１３，１４が正面壁２１の裏面に圧接される。
【００３１】
後端面４５は、図２に示すように、幅方向両側が面取りされていて、ロック回動方向Ｒにおけるロック本体４３の前端に位置する角部Ｌも、図５に示すように面取りされている。
後端面４５の高さは、支持孔２１０の２つ分に亘る寸法とされている。後端面４５には、それらのうち上方に位置する支持孔２１０に対応する凸部４５１（図２、図４）が形成されている。
【００３２】
ロック本体４３の厚みは均一に形成することもできるが、本実施形態では、金型から抜くときの応力を逃がすために、薄肉の前方領域４３Ａを形成している。前方領域４３Ａは、ロック本体４３と側板１１，１２内面との摩擦を減らし、ロック部材４０をスムーズに回動するのにも寄与する。
【００３３】
以上で説明した構成のブラケット１を棚柱２に取り付ける手順について説明する。
先ず、図２に示すように、ロック部材４０を側板１１，１２に対して起立する姿勢まで回動する。
次に、側板１１，１２の後端側を両側から圧縮し、側板１１，１２を互いに近接する向きに弾性変形させる。ここで、連結部１５に第１切欠１７が形成されていることにより、側板１１，１２の後端は、連結部１５から下端（自由端）まで、上下方向の全体に亘り、互いに近接する向きに容易に弾性変形させることができる。
また、図６（ａ）に示すように、側板１１，１２の後端近傍の間には何も挿入されておらず、後端から前方に離間した位置で、側板１１，１２の間にアーム４１，４１が収容されている。したがって、側板１１，１２が互いに近接する向きに弾性変形されると、それに追従してアーム４１，４１も同様に弾性変形する。つまり、側板１１，１２の後端側を両側から圧縮すると、それを妨げるものは存在しない。
以上より、上下方向の位置が異なる合計３組のいずれの組の係止部１３，１４においても、その間隔を容易に狭められる。各組の係止部１３，１４の間隔を棚柱２の支持孔２１０の幅よりも狭めて、図６（ａ）に示すように、支持孔２１０の内側に挿入する。
その状態で側板１１，１２を圧縮から解放すると、図６（ｂ）に示すように、係止部１３，１４の間隔が拡がり、支持孔２１０の幅方向一方の端縁に係止部１３の基端が係止されるとともに、幅方向他方の端縁に係止部１４の基端が係止される。
【００３４】
次に、ロック部材４０を後端側に向けて、ロック回動方向Ｒに回動させる。図３に示すように、棚板支持部４２が側板１１，１２の上端に突き当てられるまでロック部材４０が回動されると、図７に示すように、側板１１，１２と、正面壁２１との間にロック本体４３が介在するので、係止部１３、１４の間隔が狭まるのが阻止される。このとき、図示を省略するが、後端面４５の凸部４５１（図２、図４）が支持孔２１０に挿入されるので、ロック部材４０は上方に浮き上がることなく、側板１１，１２の間に留まる。これにより、係止部１３，１４はより確実にロックされる。
以上により、棚柱２へのブラケット１の取り付けを終了する。
【００３５】
棚柱２にブラケット１が取り付けられた状態では、棚板支持部４２を除いてロック部材４０全体が側板１１，１２の間に収容され、外部に露出しない。
このように、ロック部材の回動および係止部のロックに必要な機能部であるアーム４１，４１およびロック本体４３が側板１１，１２の間に隠蔽されるので、ブラケット１の外観性を高められる。
【００３６】
ロック本体４３は、側板１１，１２の上端から数えて２番目の係止部１３，１４の位置まで、側板１１，１２後端部の高さの半分程度の深さで挿入されるので、側板１１，１２の間隔を上端から下端までの全体に亘り維持できる。したがって、ロック部材４０により、すべての箇所の係止部１３，１４が棚柱２に係止された状態にロックされる。
【００３７】
ロックを解除する際には、図３に示す状態から、反時計回りにロック部材４０を回動させて、側板１１，１２の間から第１切欠１７を介してロック本体４３を引き抜く。そして、側板１１，１２を両側から圧縮して係止部１３，１４の間隔を狭め、支持孔２１０から離脱させれば、ブラケット１が棚柱２から取り外される。
【００３８】
以上で説明した本実施形態のブラケット１によれば、上下方向の複数箇所でブラケット本体１０が棚柱２に係止されることとなるので、１箇所のみで係止されるのと比べて支持強度が高い。
しかも、係止部１３，１４が支持孔２１０に挿入されることで支持孔２１０の端縁に係止されるので、棚板Ｂに重量物を載せても係止部１３，１４が上下方向にずり落ちることなく、棚柱２の所定高さにブラケット１を確実に係止させることができる。
しかも、側板１１，１２の上端を連結部１５により連結しつつ、連結部１５に第１切欠１７を形成しているので、連結部１５が、側板１１，１２の後端側の間隔を狭めるときの妨げとなることなく、係止部１３，１４を棚柱２に容易に係止させることができる。
ここで、側板１１，１２の下端側の全体が開放されていなくても、その少なくとも後端側が開放されていれば、同様の効果を得ることができる。また、側板１１，１２の後端側を互いに近接させることができる限り、側板１１，１２の下端側に、連結部１５に対向する折り曲げ片を形成することもできる。
【００３９】
また、本実施形態のロック部材４０は、第１切欠１７からロック本体４３が側板１１，１２の間に挿入される位置に軸支されているので、ロック部材４０を切欠に対して位置決めすることなく、ロック操作を容易に行える。
【００４０】
さらに、ロック部材４０の軸支部が、側板１１，１２の弾性変形に追従する一対の弾性アームとされているので、ロック部材４０により妨げられることなく、側板１１，１２の軸支部周辺までも、容易に弾性変形させることができる。
その上、アーム４１，４１の間隔を狭めて、側板１１，１２にロック部材４０を容易に軸支させることができるので、ブラケット１を容易に組み立てられる。
【００４１】
図８は、本発明の別の実施形態に係るブラケット５を示す。ブラケット５が備えるロック部材５０は、側板１１，１２には軸支されていない。このため、ロック部材５０は軸支部であるアームを備えておらず、側板１１，１２には軸孔１０Ａが形成されていないが、それらの点を除いて、ブラケット５は上記実施形態のブラケット１と同様に構成されている。
ブラケット５の連結部１５にも第１切欠１７が形成されており、側板１１，１２の後端側の間隔を狭めるのに連結部１５が妨げとならないので、係止部１３，１４を棚柱２に容易に係止させることができる。
そして、ロック部材５０のロック本体４３をブラケット本体１０の上方から、第１切欠１７を介して側板１１，１２の間に挿入すると、棚柱２に係止された状態にブラケット本体１０がロックされる。
【００４２】
また、上記各実施形態では、側板１１，１２の上端が連結部１５により連結されており、側板１１，１２の下端が開放されているが、それとは逆に、側板の下端が連結部により連結され、側板の上端が開放されている構成をも本発明は包含する。その場合、側板の下端側に位置する連結部に形成される切欠を介して、ロック部材が側板の間に下方から挿入される。
さらには、本発明は、一対の側板が前端で連結され、側板の上端および下端が開放された構成をも包含する。その場合、側板の間にロック部材が上方または下方から挿入される。
【００４３】
以上で述べた以外にも、本発明の主旨を逸脱しない限り、上記実施形態で挙げた構成を取捨選択したり、他の構成に適宜変更することが可能である。
本発明におけるロック部材が側板に軸支される場合、そのロック部材の形態は、一対の側板に回動可能に支持される軸支部と、一対の側板の間の少なくとも後端側に挿入されることにより係止部の間隔が狭まるのを阻止するロック本体とを備える限り任意である。
例えば、図９（ａ）に示すように、矩形板状のロック部材５５をも採用できる。ロック部材５５では、矩形状の領域の一端側を占めるロック本体４３および他端側を占める軸支部５１と、棚板支持部４２とを備えている。軸支部５１には軸部４０Ａが突設されている。
このロック部材５５を回動可能に支持する側板１１，１２には、図９（ｂ）に示すようにロック本体４３が側板１１，１２の間から突出するときに棚板支持部４２が挿入される切欠１０Ｂが形成されている。このロック部材５５をロック回動方向Ｒに回動させると、ロック本体４３が側板１１，１２の間に挿入される。
ところで、上記実施形態のロック部材４０は、軸支部である一対のアーム４１，４１と、ロック本体４３とを備えている。ここで、係止部１３，１４の間隔が狭まるのを阻止する役割に鑑みて、ロック本体４３は、側板１１，１２の間隔と同等の厚みに形成された厚肉の後方領域４３Ｂを有していれば足りる。
また、ロック部材の軸支部は、必ずしも弾性アームでなくてもよい。軸支部が中実に形成され、側板の厚み方向の弾性を有していなくても、連結部に切欠が形成されることにより、側板後端の間隔を容易に狭められる。また、一対の側板の間を少し拡げるようにすれば、軸支部を側板の内側に挿入して側板に軸支させることができる。
【００４４】
ブラケット１は、壁面Ｗに設置される棚柱２の他、例えばキャビネットの内壁に固定される棚柱にも取り付けることができる。その棚柱およびブラケット１により、キャビネット内に設けられる棚板の４つのコーナー部を支持する。
【００４５】
さらに、本発明のブラケットは、棚受に限らず、パネル等の支持部材に取り付けられて物品を保持する物品保持具として用いることもできる。そのブラケット本体には、例えば、物品を吊り下げるためのフック部材が設けられる。
【符号の説明】
【００４６】
１，５  ブラケット
２      棚柱（支持部材）
１０    ブラケット本体
１０Ａ  軸孔
１１，１２  側板
１３，１４  係止部
１５    連結部
１７    第１切欠
２１    正面壁
２２    側壁
３０    フロントパーツ
４０，５０，５５  ロック部材
４０Ａ  軸部（回動軸）
４１，４１  アーム（弾性アーム、軸支部）
４２    棚板支持部（拡幅部）
４３    ロック本体
４３Ａ  前方領域
４３Ｂ  後方領域
４５    後端面
５１    軸支部
２１０  支持孔
４５１  凸部
Ｂ      棚板
Ｆ      前端
Ｗ      壁面
【図１】
2014140579.tif 000003
【図２】
2014140579.tif 000004
【図３】
2014140579.tif 000005
【図４】
2014140579.tif 000006
【図５】
2014140579.tif 000007
【図６】
2014140579.tif 000008
【図７】
2014140579.tif 000009
【図８】
2014140579.tif 000010
【図９】
2014140579.tif 000011